【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
第１表示手段と、
第２表示手段と、
前記第１表示手段と前記第２表示手段の表示領域を管理するモニター表示領域管理手段と、
前記第２表示手段が前記モニター表示領域管理手段で管理している表示領域を表示可能な状態になったか一定時間ごとに検知するモニター接続検知手段と、
所定機能を実行するためのＧＵＩ（Ｇｒａｐｈｉｃａｌ  Ｕｓｅｒ  Ｉｎｔｅｒｆａｃｅ）を有するウィンドウを表示するウィンドウ表示手段と、
を有し、
前記モニター接続検知手段の検知結果が「表示不可能」から「表示可能」に変化した場合に、前記ウィンドウ表示手段が前記第１表示手段または前記第２表示手段にＧＵＩを有するウィンドウを表示することを特徴とするマルチディスプレイシステム。
【請求項２】
前記ウィンドウ表示手段が表示するウィンドウは、ウィンドウの表示位置を前記第１表示手段と前記第２表示手段の間で移動するための機能を有していることを特徴とする請求項１記載のマルチディスプレイシステム。
【請求項３】
前記ウィンドウ表示手段が表示するウィンドウは、前記第１表示手段と前記第２表示手段の表示方法を変更するための機能を有していることを特徴とする請求項１記載のマルチディスプレイシステム。
【請求項４】
第１表示手段と、
第２表示手段と、
前記第１表示手段と前記第２表示手段の表示領域を管理するモニター表示領域管理手段と、
前記第２表示手段が前記モニター表示領域管理手段で管理している表示領域を表示不可能な状態になったか一定時間ごとに検知するモニター切断検知手段と、
所定機能を実行するためのＧＵＩ（Ｇｒａｐｈｉｃａｌ  Ｕｓｅｒ  Ｉｎｔｅｒｆａｃｅ）を有するウィンドウを消去するウィンドウ消去手段と、
を有し、
前記モニター切断検知手段の検知結果が「表示可能」から「表示不可能」に変化した場合に、前記ウィンドウ消去手段が前記第１表示手段または前記第２表示手段に表示されたＧＵＩを有するウィンドウを消去することを特徴とするマルチディスプレイシステム。
【請求項５】
前記ウィンドウ消去手段が消去するウィンドウは、ウィンドウの表示位置を前記第１表示手段と前記第２表示手段の間で移動するための機能を有していることを特徴とする請求項４記載のマルチディスプレイシステム。
【請求項６】
前記ウィンドウ消去手段が消去するウィンドウは、前記第１表示手段と前記第２表示手段の表示方法を変更するための機能を有していることを特徴とする請求項４記載のマルチディスプレイシステム。
【請求項７】
第１表示手段と、
第２表示手段と、
前記第１表示手段と前記第２表示手段の表示領域を管理するモニター表示領域管理手段と、
前記第２表示手段が前記モニター表示領域管理手段で管理している表示領域を表示不可能な状態になったか一定時間ごとに検知するモニター切断検知手段と、所定機能を実行するためのＧＵＩ（Ｇｒａｐｈｉｃａｌ  Ｕｓｅｒ  Ｉｎｔｅｒｆａｃｅ）を有するウィンドウを表示するウィンドウ表示手段と、
を有し、
前記モニター切断検知手段の検知結果が「表示可能」から「表示不可能」に変化した場合に、前記ウィンドウ表示手段が前記第１表示手段または前記第２表示手段に、ＧＵＩを有するウィンドウを表示することを特徴とするマルチディスプレイシステム。
【請求項８】
前記ウィンドウ表示手段が表示するウィンドウは、前記第２表示手段または前記第１表示手段の表示内容を画像として表示するための機能を有していることを特徴とする請求項７記載のマルチディスプレイシステム。
【請求項９】
第１表示手段と、
第２表示手段と、
前記第１表示手段と前記第２表示手段の表示領域を管理するモニター表示領域管理手段と、
前記第２表示手段が前記モニター表示領域管理手段で管理している表示領域を表示可能な状態になったか一定時間ごとに検知するモニター接続検知手段と、
所定機能を実行するためのＧＵＩ（Ｇｒａｐｈｉｃａｌ  Ｕｓｅｒ  Ｉｎｔｅｒｆａｃｅ）を有するウィンドウを消去するウィンドウ消去手段と、
を有し、
前記モニター接続検知手段の検知結果が「表示不可能」から「表示可能」に変化した場合に、前記ウィンドウ消去手段が前記第１表示手段または前記第２表示手段に表示されたＧＵＩを有するウィンドウを消去することを特徴とするマルチディスプレイシステム。
【請求項１０】
前記ウィンドウ消去手段が消去するウィンドウは、前記第２表示手段または前記第１表示手段の表示内容を画像として表示するための機能を有していることを特徴とする請求項９記載のマルチディスプレイシステム。
【請求項１１】
第１表示手段と、第２表示手段とを備えたマルチディスプレイシステムのウィンドウ表示方法であって、
前記第１表示手段と前記第２表示手段の表示領域を管理するモニター表示領域管理手順と、
前記第２表示手段が前記モニター表示領域管理手順で管理している表示領域を表示可能な状態になったか一定時間ごとに検知するモニター接続検知手順と、
所定機能を実行するためのＧＵＩ（Ｇｒａｐｈｉｃａｌ  Ｕｓｅｒ  Ｉｎｔｅｒｆａｃｅ）を有するウィンドウを表示するウィンドウ表示手順と、
を有し、
前記モニター接続検知手順の検知結果が「表示不可能」から「表示可能」に変化した場合に、前記ウィンドウ表示手順が前記第１表示手段または前記第２表示手段に、ＧＵＩを有するウィンドウを表示することを特徴とするマルチディスプレイシステムのウィンドウ表示方法。
【請求項１２】
前記ウィンドウ表示手順が表示するウィンドウは、ウィンドウの表示位置を前記第１表示手段と前記第２表示手段の間で移動するための機能を有していることを特徴とする請求項１１記載のマルチディスプレイシステムのウィンドウ表示方法。
【請求項１３】
前記ウィンドウ表示手順が表示するウィンドウは、前記第１表示手段と前記第２表示手段の表示方法を変更するための機能を有していることを特徴とする請求項１１記載のマルチディスプレイシステムのウィンドウ表示方法。
【請求項１４】
第１表示手段と、第２表示手段とを備えたマルチディスプレイシステムのウィンドウ表示方法であって、
前記第１表示手段と前記第２表示手段の表示領域を管理するモニター表示領域管理手順と、
前記第２表示手段が前記モニター表示領域管理手順で管理している表示領域を表示不可能な状態になったか一定時間ごとに検知するモニター切断検知手順と、
所定機能を実行するためのＧＵＩ（Ｇｒａｐｈｉｃａｌ  Ｕｓｅｒ  Ｉｎｔｅｒｆａｃｅ）を有するウィンドウを消去するウィンドウ消去手順と、
を有し、
前記モニター切断検知手順の検知結果が「表示可能」から「表示不可能」に変化した場合に、前記ウィンドウ消去手順が前記第１表示手段または前記第２表示手段に表示されたＧＵＩを有するウィンドウを消去することを特徴とするマルチディスプレイシステムのウィンドウ消去方法。
【請求項１５】
前記ウィンドウ消去手順が消去するウィンドウは、ウィンドウの表示位置を前記第１表示手段と前記第２表示手段の間で移動するための機能を有していることを特徴とする請求項１４記載のマルチディスプレイシステムのウィンドウ消去方法。
【請求項１６】
前記ウィンドウ消去手順が消去するウィンドウは、前記第１表示手段と前記第２表示手段の表示方法を変更するための機能を有していることを特徴とする請求項１４記載のマルチディスプレイシステムのウィンドウ消去方法。
【請求項１７】
第１表示手段と、第２表示手段とを備えたマルチディスプレイシステムのウィンドウ表示方法であって、前記第１表示手段と前記第２表示手段の表示領域を管理するモニター表示領域管理手順と、
前記第２表示手段が前記モニター表示領域管理手順で管理している表示領域を表示可能な状態になったか一定時間ごとに検知するモニター接続検知手順と、
所定機能を実行するためのＧＵＩ（Ｇｒａｐｈｉｃａｌ  Ｕｓｅｒ  Ｉｎｔｅｒｆａｃｅ）を有するウィンドウを表示するウィンドウ表示手順と、
を有し、
前記モニター切断検知手順の検知結果が「表示可能」から「表示不可能」に変化した場合に、前記ウィンドウ表示手順が前記第１表示手段または前記第２表示手段に、ＧＵＩを有するウィンドウを表示することを特徴とするマルチディスプレイシステムのウィンドウ表示方法。
【請求項１８】
前記ウィンドウ表示手順が表示するウィンドウは、前記第２表示手段または前記第１表示手段の表示内容を画像として表示するための機能を有していることを特徴とする請求項１７記載のマルチディスプレイシステムのウィンドウ表示方法。
【請求項１９】
第１表示手段と、第２表示手段とを備えたマルチディスプレイシステムのウィンドウ表示方法であって、
前記第１表示手段と前記第２表示手段の表示領域を管理するモニター表示領域管理手順と、
前記第２表示手段が前記モニター表示領域管理手順で管理している表示領域を表示可能な状態になったか一定時間ごとに検知するモニター接続検知手順と、
所定機能を実行するためのＧＵＩ（Ｇｒａｐｈｉｃａｌ  Ｕｓｅｒ  Ｉｎｔｅｒｆａｃｅ）を有するウィンドウを消去するウィンドウ消去手順と、
を有し、
前記モニター接続検知手順の検知結果が「表示不可能」から「表示可能」に変化した場合に、前記ウィンドウ消去手順が前記第１表示手段または前記第２表示手段に表示されたＧＵＩを有するウィンドウを消去することを特徴とするマルチディスプレイシステムのウィンドウ消去方法。
【請求項２０】
前記ウィンドウ消去手順が消去するウィンドウは、前記第２表示手段または前記第１表示手段の表示内容を画像として表示するための機能を有していることを特徴とする請求項１９記載のマルチディスプレイシステムのウィンドウ消去方法。